(57)【要約】【課題】パルスメーターにおいて、被検者の状態をすばやく把握できるような態様で測定結果を表示する。【解決手段】本発明に係るパルスオキシメーター１Ａの制御部１１によれば、測定部１４により測定された血中酸素飽和度を予め定められた段階数及び刻みのレベルに変換し、変換されたレベルを表示部１５に表示させる。【選択図】図３
2018102638.tif 000002
【特許請求の範囲】
【請求項１】
生体の血中酸素飽和度を測定する測定手段と、
前記測定手段により測定された血中酸素飽和度を予め定められた段階数及び刻みのレベルに変換する変換手段と、
前記変換手段により変換されたレベルを表示する表示手段と、
を備えるパルスオキシメーター。
【請求項２】
生体の血中酸素飽和度を測定する測定手段と、
前記測定手段により測定された血中酸素飽和度の、予め定められた基準値からの相対値を算出する相対値算出手段と、
前記相対値算出手段により算出された相対値を予め定められた段階数及び刻みのレベルに変換する変換手段と、
前記レベルを表示する表示手段と、
を備えるパルスオキシメーター。
【請求項３】
前記測定手段による測定結果に基づいて前記基準値を取得する基準値取得手段を備える請求項２に記載のパルスオキシメーター。
【請求項４】
前記測定手段により測定された血中酸素飽和度を予め定められた段階数及び刻みのレベルに変換する第２の変換手段と、
前記表示手段に表示するレベルを、前記相対値を変換したレベルと前記血中酸素飽和度を変換したレベルとの間で切り替える切替手段と、
を備える請求項２又は３に記載のパルスオキシメーター。
【請求項５】
前記表示手段は、表示しているレベルが前記相対値を変換したレベルであるか前記血中酸素飽和度を変換したレベルであるかを示す情報を併せて表示する請求項４に記載のパルスオキシメーター。
【請求項６】
生体の血中酸素飽和度及び脈拍数を測定する測定手段と、
前記測定手段により測定された血中酸素飽和度及び脈拍数のそれぞれの、予め定められた基準値からの相対値を算出する相対値算出手段と、
前記相対値算出手段により算出された前記血中酸素飽和度の相対値と前記脈拍数の相対値のそれぞれを予め定められた段階数及び刻みのレベルに変換する変換手段と、
前記変換手段により変換された前記血中酸素飽和度の相対値のレベルと前記脈拍数の相対値のレベルに基づいてリスクレベルを算出するリスクレベル算出手段と、
前記リスクレベル算出手段により算出されたリスクレベルを表示する表示手段と、
を備えるパルスオキシメーター。
【請求項７】
前記リスクレベル算出手段は、前記血中酸素飽和度の相対値のレベルと前記脈拍数の相対値のレベルを掛け合わせることにより前記リスクレベルを算出する請求項６に記載のパルスオキシメーター。
【請求項８】
前記リスクレベル算出手段は、前記血中酸素飽和度の相対値のレベルと前記脈拍数の相対値のレベルのそれぞれに重み係数を掛けてから両者を掛け合わせる請求項７に記載のパルスオキシメーター。
【請求項９】
前記表示手段は、前記リスクレベルを当該リスクレベルに応じたボルグスケールの指標レベルで表示する請求項６〜８のいずれか一項に記載のパルスオキシメーター。
【請求項１０】
被検者及び／又は測定時の状況に応じて前記段階数及び前記刻みを変更する制御手段を備える請求項１〜９のいずれか一項に記載のパルスオキシメーター。
【請求項１１】
患者情報及び／又は状況情報に対応付けて前記段階数及び前記刻みを記憶する記憶手段を備え、
前記制御手段は、前記記憶手段に記憶されている前記段階数及び前記刻みの中から前記被検者の患者情報及び／又は測定時の状況情報に対応する前記段階数及び前記刻みを前記変換手段が使用する設定値として設定する請求項１０に記載のパルスオキシメーター。
【請求項１２】
前記記憶手段には、予め前記段階数及び前記刻みのデフォルト値が記憶されている請求項１１に記載のパルスオキシメーター。
【請求項１３】
前記段階数及び前記刻みを入力する入力手段を備え、
前記記憶手段は、前記入力手段により入力された前記段階数及び前記刻みを記憶する請求項１１に記載のパルスオキシメーター。
【請求項１４】
前記制御手段により前記変換手段が使用するものとして設定された設定値は、電源がＯＦＦされてもリセットされることなく、次回の電源投入時にはその設定で起動される請求項１１〜１３のいずれか一項に記載のパルスオキシメーター。
【請求項１５】
前記制御手段は、前記被検者の個人情報、測定開始時の時間情報及び測定開始時の初期の血中酸素飽和度のひとつ又は複数の情報を取得し、取得した情報に基づいて、前記記憶手段に記憶されている前記段階数及び前記刻みの中から前記被検者の患者情報及び／又は測定時の状況情報に対応する前記段階数及び前記刻みを前記変換手段が使用する設定値として設定する請求項１１〜１３のいずれか一項に記載のパルスオキシメーター。
【請求項１６】
同一の患者情報に対応する複数の前記段階数及び前記刻みのデータが前記記憶手段に記憶されている場合に、記憶されている複数の前記データを自動又は手動で統合する統合手段を備える請求項１１〜１５のいずれか一項に記載のパルスオキシメーター。
【発明の詳細な説明】
【技術分野】
【０００１】
本発明は、パルスオキシメーターに関する。
【背景技術】
【０００２】
パルスオキシメーターは、プローブを指先等に付けて血中酸素飽和度（ＳｐＯ２値）や脈拍数等を測定する装置である。ＳｐＯ２値は、動脈の中を流れる血液中における酸素に結びついたヘモグロビンの割合であり、０〜１００％の数値で表される。
【０００３】
例えば、特許文献１には、携帯用電源を備えたパルスオキシメーターが記載されている。また、特許文献２には、血中酸素飽和度及び血中酸素飽和度の安定度を表示するパルスオキシメーターが記載されている。
【先行技術文献】
【特許文献】
【０００４】
【特許文献１】特開昭６２−８７３８号公報
【特許文献２】特開２００９−２６１４６３号公報
【発明の概要】
【発明が解決しようとする課題】
【０００５】
従来のパルスオキシメーターにおいては、特許文献１及び特許文献２に記載のように、測定により得られたＳｐＯ２値は、１％の表示分解能で０〜１００％の絶対的な数値で表示されている。しかし、実際の被検者の状態変化及びその後の対応に対して１％刻みの変化は症状を示す表示分解能として細かすぎ、被検者の状態の把握としてはわかりにくいという問題がある。
また、ＳｐＯ２値による症状の評価は各種ガイドラインに記載があるが、実際には個人差が大きい。例えば、ＳｐＯ２値の絶対値として９２％で苦しくなる人もいれば、それが９０％の人、８８％の人もいる。また、例えば、平常時から５％低下で苦しくなる人もいれば、７％低下で苦しくなる人もいる。それぞれ苦しくなる前に身体にかかる付加を軽減する必要がある。例えば休息をとる、呼吸体操を行う、ひどい時には息苦しさ（呼吸困難）を和らげるための気道確保や酸素吸入の処置等を行う必要がある。そのため、現実的な運用として、各個人は過去の状態等とＳｐＯ２値との関係に基づいて自分の現状を把握する必要があり、また、医師も診断時に各個人別のデータ記録を別途照らし合わせながら現状を把握する必要があり、効率が悪い。
【０００６】
本発明の課題は、パルスメーターにおいて、被検者の状態をすばやく把握できるような態様で測定結果を表示することである。
【課題を解決するための手段】
【０００７】
上記課題を解決するため、請求項１に記載の発明のパルスオキシメーターは、
生体の血中酸素飽和度を測定する測定手段と、
前記測定手段により測定された血中酸素飽和度を予め定められた段階数及び刻みのレベルに変換する変換手段と、
前記変換手段により変換されたレベルを表示する表示手段と、
を備える。
【０００８】
請求項２に記載の発明のパルスオキシメーターは、
生体の血中酸素飽和度を測定する測定手段と、
前記測定手段により測定された血中酸素飽和度の、予め定められた基準値からの相対値を算出する相対値算出手段と、
前記相対値算出手段により算出された相対値を予め定められた段階数及び刻みのレベルに変換する変換手段と、
前記レベルを表示する表示手段と、
を備える。
【０００９】
請求項３に記載の発明は、請求項２に記載の発明において、
前記測定手段による測定結果に基づいて前記基準値を取得する基準値取得手段を備える。
【００１０】
請求項４に記載の発明は、請求項２又は３に記載の発明において、
前記測定手段により測定された血中酸素飽和度を予め定められた段階数及び刻みのレベルに変換する第２の変換手段と、
前記表示手段に表示するレベルを、前記相対値を変換したレベルと前記血中酸素飽和度を変換したレベルとの間で切り替える切替手段と、
を備える。
【００１１】
請求項５に記載の発明は、請求項４に記載の発明において、
前記表示手段は、表示しているレベルが前記相対値を変換したレベルであるか前記血中酸素飽和度を変換したレベルであるかを示す情報を併せて表示する。
【００１２】
請求項６に記載の発明のパルスオキシメーターは、
生体の血中酸素飽和度及び脈拍数を測定する測定手段と、
前記測定手段により測定された血中酸素飽和度及び脈拍数のそれぞれの、予め定められた基準値からの相対値を算出する相対値算出手段と、
前記相対値算出手段により算出された前記血中酸素飽和度の相対値と前記脈拍数の相対値のそれぞれを予め定められた段階数及び刻みのレベルに変換する変換手段と、
前記変換手段により変換された前記血中酸素飽和度の相対値のレベルと前記脈拍数の相対値のレベルに基づいてリスクレベルを算出するリスクレベル算出手段と、
前記リスクレベル算出手段により算出されたリスクレベルを表示する表示手段と、
を備える。
【００１３】
請求項７に記載の発明は、請求項６に記載の発明において、
前記リスクレベル算出手段は、前記血中酸素飽和度の相対値のレベルと前記脈拍数の相対値のレベルを掛け合わせることにより前記リスクレベルを算出する。
【００１４】
請求項８に記載の発明は、請求項７に記載の発明において、
前記リスクレベル算出手段は、前記血中酸素飽和度の相対値のレベルと前記脈拍数の相対値のレベルのそれぞれに重み係数を掛けてから両者を掛け合わせる。
【００１５】
請求項９に記載の発明は、請求項６〜８のいずれか一項に記載の発明において、
前記表示手段は、前記リスクレベルを当該リスクレベルに応じたボルグスケールの指標レベルで表示する。
【００１６】
請求項１０に記載の発明は、請求項１〜９のいずれか一項に記載の発明において、
被検者及び／又は測定時の状況に応じて前記段階数及び前記刻みを変更する制御手段を備える。
【００１７】
請求項１１に記載の発明は、請求項１０に記載の発明において、
患者情報及び／又は状況情報に対応付けて前記段階数及び前記刻みを記憶する記憶手段を備え、
前記制御手段は、前記記憶手段に記憶されている前記段階数及び前記刻みの中から前記被検者の患者情報及び／又は測定時の状況情報に対応する前記段階数及び前記刻みを前記変換手段が使用する設定値として設定する。
【００１８】
請求項１２に記載の発明は、請求項１１に記載の発明において、
前記記憶手段には、予め前記段階数及び前記刻みのデフォルト値が記憶されている。
【００１９】
請求項１３に記載の発明は、請求項１１に記載の発明において、
前記段階数及び前記刻みを入力する入力手段を備え、
前記記憶手段は、前記入力手段により入力された前記段階数及び前記刻みを記憶する。
【００２０】
請求項１４に記載の発明は、請求項１１〜１３のいずれか一項に記載の発明において、
前記制御手段により前記変換手段が使用するものとして設定された設定値は、電源がＯＦＦされてもリセットされることなく、次回の電源投入時にはその設定で起動される。
【００２１】
請求項１５に記載の発明は、請求項１１〜１３のいずれか一項に記載の発明において、
前記制御手段は、前記被検者の個人情報、測定開始時の時間情報及び測定開始時の初期の血中酸素飽和度のひとつ又は複数の情報を取得し、取得した情報に基づいて、前記記憶手段に記憶されている前記段階数及び前記刻みの中から前記被検者の患者情報及び／又は測定時の状況情報に対応する前記段階数及び前記刻みを前記変換手段が使用する設定値として設定する。
【００２２】
請求項１６に記載の発明は、請求項１１〜１５のいずれか一項に記載の発明において、
同一の患者情報に対応する複数の前記段階数及び前記刻みのデータが前記記憶手段に記憶されている場合に、記憶されている複数の前記データを自動又は手動で統合する統合手段を備える。
【発明の効果】
【００２３】
本発明によれば、パルスメーターにおいて、被検者の状態をすばやく把握できるような態様で測定結果を表示することが可能となる。
【図面の簡単な説明】
【００２４】
【図１】第１の実施形態におけるパルスオキシメーターの機能的構成を示すブロック図である。
【図２】図１の記憶部に記憶されるデフォルト値の一例を示す図である。
【図３】図１の制御部により実行される測定処理Ａを示すフローチャートである。
【図４】図３のステップＳ２において表示される設定処理Ａを示すフローチャートである。
【図５】図１の記憶部のメモリー領域に記憶されるメモリー値の一例を示す図である。
【図６】レベル表示の例を示す図である。
【図７】レベル表示と脈波レベルの表示を兼用した表示例を示す図である。
【図８】ＳｐＯ２値とそのレベルを併記した表示例を示す図である。
【図９】第２の実施形態におけるパルスオキシメーターの機能的構成を示すブロック図である。
【図１０】第２の実施形態において記憶部のメモリー領域に記憶されるメモリー値の例を示す図である。
【図１１】図９の制御部により実行される測定処理Ｂを示すフローチャートである。
【図１２】図１の制御部により実行される測定処理Ｃを示すフローチャートである。
【図１３】図１２のステップＳ３２により実行される設定処理Ｂを示すフローチャートである。
【図１４】図１２のステップＳ３６におけるレベル表示の一例を示す図である。
【図１５】図１２のステップＳ３６におけるレベル表示の他の例を示す図である。
【図１６】図１の制御部により実行される測定処理Ｄを示すフローチャートである。
【図１７】図１６のステップＳ５０におけるリスクレベルの表示例を示す図である。
【図１８】リスクレベルの各レベルとボルグスケールの各指標との対応表の一例を示す図である。
【図１９】図１の制御部により実行される測定処理Ｅを示すフローチャートである。
【発明を実施するための形態】
【００２５】
＜第１の実施形態＞
以下、本発明の第１の実施形態について説明する。第１の実施形態では、パルスオキシメーターにより測定されたＳｐＯ２値を予め設定された段階数及び刻みのレベルに変換して表示する場合について説明する。
【００２６】
（パルスオキシメーター１の構成）
まず、本発明の第１の実施形態の構成を説明する。
図１に、本実施形態におけるパルスオキシメーター１の機能構成例を示す。図１に示すように、パルスオキシメーター１は、制御部１１、操作部１２、記憶部１３、測定部１４、表示部１５、時計１６等を備えて構成されている。
【００２７】
制御部１１は、ＣＰＵ、ＲＡＭ等により構成される。制御部１１のＣＰＵは、記憶部１３に記憶されているシステムプログラムや処理プログラム等の各種プログラムを読み出してＲＡＭに展開し、展開されたプログラムに従って各種処理を実行する。例えば、制御部１１は、後述する測定処理Ａ（図３参照）を実行することにより、変換手段、制御手段として機能する。
【００２８】
操作部１２は、各種スイッチ、機能ボタン、矢印ボタン等を備えており、これらの操作信号を制御部１１に出力する。操作部１２は、制御部１１との協働により、入力手段として機能する。
【００２９】
記憶部１３は、半導体の不揮発性メモリー等で構成されている。記憶部１３には、前述のようにシステムプログラムや各種プログラムが記憶されている。
【００３０】
また、記憶部１３には、ＳｐＯ２値（０％〜１００％）をレベル分けする際の段階数及び刻みのデフォルト値が記憶されている。
ここで、刻みは、何％刻みでレベルを分けるかを示す値である。刻みは一律でもよいし、段階ごとに異なる値としてもよい。なお、１００＞段階数であり、刻み＞１である。本実施形態では、１００％から０％に向けて刻みごとにレベルの段階が変わる。１００％を含むレベルが最も高いレベルである。段階数との調整をとるため、刻みは最低レベル（レベル０）では適用されない。例えば、段階数が４、刻みが一律５％である場合、ＳｐＯ２値が９５〜１００％がレベル３、９０〜９４％がレベル２、８５％〜８９％がレベル１、８４％以下がレベル０となる。また、例えば、段階数が４、刻みが５％、４％、３％である場合、９５〜１００％がレベル３、９１％〜９４％がレベル２、８８〜９０％がレベル１、８７％以下がレベル０となる。なお、例えば高齢呼吸不全の患者等、ＳｐＯ２値が９０％以上上がらない場合には、最高レベル側のほうも刻みを適用しないようにしてもよい。
記憶部１３に記憶されるデフォルト値は一つであっても複数であってもよい。また、デフォルト値として、段階数及び刻みの値を直接記憶しておいてもよいが、図２に示すように、その段階数及び刻みに基づいてＳｐＯ２値の０％〜１００％をレベル０〜ｎ（ｎは段階数−１）に割り当てたものを記憶しておくこととしてもよい。
【００３１】
また、記憶部１３には、操作部１２により入力された段階数及び刻みの値（メモリー値と呼ぶ）を記憶するためのメモリー領域が設けられている。メモリー領域には、複数のメモリー値を記憶しておくことができる。
さらに、記憶部１３には、段階数及び刻みの設定値を記憶するための設定領域が設けられている。設定値は、実際にＳｐＯ２値をレベルに変換する際に使用される段階数及び刻みである。なお、設定領域には、工場出荷時にはデフォルト値が設定されている。
記憶部１３は、記憶手段として機能する。
【００３２】
測定部１４は、赤色光と赤外光を指先等に向けて発光し、その透過光（反射光）に基づいて、ＳｐＯ２値及び脈拍を測定する。測定部１４は、測定手段として機能する。
【００３３】
表示部１５は、例えば、ＣＲＴ（Cathode Ray Tube）やＬＣＤ（Liquid Crystal Display）等のモニターを備えて構成されており、制御部１１から入力される表示信号の指示に従って各種画面を表示する。表示部１５は、表示手段として機能する。
【００３４】
時計１６は、時刻情報を取得して制御部１１に出力する。
【００３５】
（パルスオキシメーター１の動作）
次に、パルスオキシメーター１の動作について説明する。
図３に、パルスオキシメーター１において電源がＯＮとなった際に実行される測定処理Ａのフローチャートを示す。測定処理Ａは、制御部１１と記憶部１３に記憶されているプログラムとの協働により実行される。
【００３６】
まず、制御部１１は、操作部１２により設定モードへの移行指示が入力されたか否かを判断する（ステップＳ１）。
操作部１２により設定モードへの移行指示が入力されていないと判断した場合（ステップＳ１；ＮＯ）、制御部１１は、ステップＳ３に移行する。
操作部１２により設定モードへの移行指示が入力されたと判断した場合（ステップＳ１；ＹＥＳ）、制御部１１は、設定処理Ａを実行する（ステップＳ２）。
【００３７】
図４に、ステップＳ２において実行される設定処理Ａのフローチャートを示す。設定処理Ａは、制御部１１と記憶部１３に記憶されているプログラムとの協働により実行される。
【００３８】
まず、制御部１１は、表示部１５にメニュー画面を表示する（ステップＳ１０１）。メニュー画面には、「デフォルト値を選択」、「メモリー値を選択」、「新規入力」のメニューが表示されており、操作部１２によりいずれかを選択することができる。
【００３９】
操作部１２により「デフォルト値を選択」が選択された場合（ステップＳ１０２；ＹＥＳ）、制御部１１は、デフォルト値に対応付ける患者情報や状況（例えば、時間帯、動作状況、疾患等）の情報を入力するか否かを問い合わせるメッセージを表示部１５に表示して、操作部１２により患者情報や状況を入力することが選択されたか否かを判断する（ステップＳ１０３）。
操作部１２により患者情報や状況を入力することが選択されていないと判断した場合（ステップＳ１０３；ＮＯ）、制御部１１は、記憶部１３に記憶されているデフォルト値を記憶部１３の設定領域に記憶させ（ステップＳ１０６）、図３のステップＳ３に移行する。
なお、デフォルト値が記憶部１３に複数記憶されている場合、制御部１１は、表示部１５にデフォルト値一覧を表示させ、操作部１２により選択されたデフォルト値を記憶部１３の設定領域に記憶させる。
【００４０】
操作部１２により患者情報や状況を入力することが選択されたと判断した場合（ステップＳ１０３；ＹＥＳ）、制御部１１は、デフォルト値に対応付ける患者情報や状況を入力するための入力画面を表示部１５に表示させ、操作部１２による患者情報や状況の入力を受け付ける（ステップＳ１０４）。ここで、入力する患者情報は、測定対象の被検者を特定する情報であり、被検者の患者ＩＤや氏名に限らず、「在宅酸素療法患者」等の患者の種別や年齢、性別等であってもよい。また、状況としては、例えば、上述のように、測定時の時間帯、動作状況（例えば、安静時、歩行中、運動中、入浴中、排便中等）、疾患（例えば、心不全、呼吸不全、ＣＯＰＤ等）等が挙げられる。患者情報と状況はいずれか一方を入力してもよいし、両方を入力してもよい。
【００４１】
次いで、制御部１１は、段階数及び刻みのデフォルト値を入力された患者情報や状況の情報に対応付けてメモリー値として記憶部１３のメモリー領域に記憶させる（ステップＳ１０５）。そして、制御部１１は、選択されたデフォルト値を記憶部１３の設定領域に記憶させ（ステップＳ１０６）、図３のステップＳ３に移行する。
【００４２】
ここで、デフォルト値が適している患者が被検者である場合、デフォルト値に患者情報を対応付けてメモリー領域に記憶しておくことで、デフォルト値が適していることを覚えておかなくても、その患者についての測定を行う際に、患者情報に基づいてメモリー領域から段階数及び刻みを容易に呼び出すことができる。
また、一般的に、測定時の状況、例えば、測定時の時間帯、被検者の動作状況、疾患等によって被検者が苦しく感じたり処置が必要となったりするＳｐＯ２値は異なる。そこで、デフォルト値が適している状況がある場合には、デフォルト値にそのデフォルト値を使用する状況の情報を対応付けてメモリー領域に記憶しておくことで、状況に応じた段階数及び刻みを容易に呼び出すことができる。
【００４３】
なお、デフォルト値が記憶部１３に複数記憶されている場合、制御部１１は、表示部１５にデフォルト値一覧を表示させ、操作部１２により選択されたデフォルト値を入力された患者情報や状況に対応付けてメモリー領域に記憶させる。また、選択されたデフォルト値を記憶部１３の設定領域に記憶させる。
【００４４】
一方、メニュー画面において、操作部１２により「メモリー値を選択」が選択された場合（ステップＳ１０２；ＮＯ、ステップＳ１０７；ＹＥＳ）、制御部１１は、記憶部１３のメモリー領域に記憶されているメモリー値の一覧を表示部１５に表示させる（ステップＳ１０８）。操作部１２によりメモリー値の一覧の中からメモリー値が選択されると（ステップＳ１０９）、制御部１１は、選択されたメモリー値を記憶部１３の設定領域に記憶させ（ステップＳ１１０）、図３のステップＳ３に移行する。
なお、簡易的な設定方法として、例えば、操作部１２に予め患者が割り当てられた患者ボタン１〜患者ボタンＮ（Ｎは正の整数）を備える構成とし、制御部１１は、押下された患者ボタンに応じた患者の患者情報に対応するメモリー値をメモリー領域から読み出して記憶部１３の設定領域に記憶させることとしてもよい。一人の患者の患者情報に対応する複数のメモリー値が記憶されている場合は、その患者に対応するメモリー値を表示部１５に一覧表示し、選択されたメモリー値を記憶部１３の設定領域に記憶させる。同様に、操作部１２に予め状況（症状等）が割り当てられた症状ボタン１〜症状ボタンＮ（Ｎは正の整数）を備える構成とし、制御部１１は、操作部１２の押下された症状ボタンに応じた症状に対応するメモリー値を記憶部１３の設定領域に記憶させることとしてもよい。
【００４５】
一方、メニュー画面において、操作部１２により「新規入力」が選択された場合（ステップＳ１０２；ＮＯ、ステップＳ１０７；ＮＯ、ステップＳ１１１；ＹＥＳ）、制御部１１は、ＳｐＯ２値をレベルに変換する際の段階数及び刻みを入力するための入力画面を表示部１５に表示させ、操作部１２による段階数及び刻みの入力を受け付ける（ステップＳ１１２）。
【００４６】
次いで、制御部１１は、入力された段階数及び刻みを登録するか否かを問い合わせるメッセージを表示部１５に表示して、操作部１２により登録することが指示されたか否かを判断する（ステップＳ１１３）。
操作部１２により登録しないことが指示されたと判断した場合（ステップＳ１１３；ＮＯ）、制御部１１は、入力された段階数及び刻みの値を記憶部１３の設定領域に記憶させ（ステップＳ１１８）、図３のステップＳ３に移行する。
【００４７】
操作部１２により登録することが指示されたと判断した場合（ステップＳ１１３；ＹＥＳ）、制御部１１は、入力された段階数及び刻みに対応付ける患者情報や状況を入力するか否かを問い合わせるメッセージを表示部１５に表示して、操作部１２により患者情報や状況を入力することが指示されたか否かを判断する（ステップＳ１１４）。
操作部１２により患者情報や状況を入力することが指示されていないと判断した場合（ステップＳ１１４；ＮＯ）、制御部１１は、入力された段階数及び刻みをメモリー値として記憶部１３のメモリー領域に記憶させる（ステップ１１５）。そして、制御部１１は、入力された段階数及び刻みの値を記憶部１３の設定領域に記憶させ（ステップＳ１１８）、図３のステップＳ３に移行する。
【００４８】
操作部１２により患者情報や状況を入力することが指示されたと判断した場合（ステップＳ１１４；ＹＥＳ）、制御部１１は、入力された段階数及び刻みの値に対応付ける患者情報や状況を入力するための入力画面を表示部１５に表示させ、操作部１２による患者情報や状況の入力を受け付ける（ステップＳ１１６）。次いで、制御部１１は、段階数及び刻みの値を入力された患者情報や状況の情報に対応付けてメモリー値として記憶部１３のメモリー領域に記憶させる（ステップＳ１１７）。入力する患者情報としては、患者ＩＤや氏名に限らず、「在宅酸素療法患者」等の患者の種別や年齢、性別等であってもよい。また、状況としては、例えば、上述のように、時間帯、動作状況（例えば、安静時、歩行中、運動中、入浴中、排便中等）、疾患（例えば、心不全、呼吸不全、ＣＯＰＤ等）等が挙げられる。患者情報と状況はいずれか一方を入力してもよいし、両方を入力してもよい。
【００４９】
そして、制御部１１は、入力された段階数及び刻みを記憶部１３の設定領域に記憶させ（ステップＳ１１８）、図３のステップＳ３に移行する。
【００５０】
図５に、記憶部１３のメモリー領域に記憶されるメモリー値の一例を示す。メモリー値としては、入力された患者情報及び／又は状況の情報に対応付けて、段階数及び刻みの値を直接記憶してもよいが、図５に示すように、入力された段階数及び刻みに基づいてＳｐＯ２値の０％〜１００％をレベル０〜ｎ（ｎは段階数−１）に割り当てたものを記憶してもよい。また、各レベルにおいて実施すべき対応等の入力を段階数及び刻みの入力とともに受け付けて併せて記憶しておくこととしてもよい。
【００５１】
このように、患者情報や状況情報に対応付けて段階数及び刻みをメモリー領域に記憶しておくことで、被検者の個人差や状況に応じて段階数及び刻みを変更してＳｐＯ２値をレベルに変換することが可能となる。
【００５２】
図３のステップＳ３において、制御部１１は、測定部１４によりＳｐＯ２値を測定し（ステップＳ３）、測定により得られたＳｐＯ２値を記憶部１３の設定領域に記憶されている設定値に基づいてレベルに変換する（ステップＳ４）。そして、制御部１１は、変換されたレベルを表示部１５に表示する（ステップＳ５）。
【００５３】
制御部１１は、電源がＯＦＦされるまでステップＳ３〜Ｓ５の処理を繰り返し実行する。
【００５４】
図６〜図８に、図３のステップＳ３におけるＳｐＯ２値に対応するレベルの表示例を示す。図６〜図８においては、レベル４段階、一律５％刻みでＳｐＯ２値（測定値）が９８％の場合のレベル表示例を示す。
図６（ａ）に示すように、例えば、左からレベル０、レベル１、レベル２、レベル３の各レベルに対応する表示欄が設けられ、レベル０からＳｐＯ２値に対応するレベルまでの表示欄が点灯（または色で表示）される。または、図６（ｂ）に示すように、ＳｐＯ２値に対応するレベルの表示欄のみが点灯（または色で表示）されることとしてもよい。また、レベルに応じた音声を併せて出力することとしてもよい。
【００５５】
また、図７に示すように、ＳｐＯ２値のレベル表示が脈波レベルメーターの表示を兼ねることとしてもよい。例えば、図７（ａ）に示すように、脈波信号が立ち上がったときにレベル０からＳｐＯ２値に対応するレベルまでの表示欄が一斉に点灯される（色が表示される）こととしてもよいし、図７（ｂ）に示すように、脈波信号の大きさに応じて点灯する（色が表示される）表示欄の数が変化するようにしてもよい。例えば、脈波信号が最大のとき、ＳｐＯ２値に対応するレベルまでの表示欄が点灯（または色で表示）され、脈波信号が小さくなるにつれて表示範囲が狭くなる。このように、ＳｐＯ２値のレベル表示が脈波レベルメーターの表示を兼ねるようにすることで、狭い画面であっても、ＳｐＯ２値のレベル表示及び脈波レベルを見やすく表示することができる。
【００５６】
また、図８（ａ）、（ｂ）に示すように、ＳｐＯ２値の数値とレベル表示を並べて表示してもよい。その際、図８（ａ）に示すように、各レベルに対応する表示欄を設けてＳｐＯ２値の数値とともに表示してもよいし、図８（ｂ）に示すように、レベルについても数値で表示することとしてもよい。
【００５７】
このように、第１の実施形態では、測定部１４の測定結果であるＳｐＯ２値をそのまま表示するのではなく、被検者の状態を把握しやすいレベルに変換して表示するので、被検者の状態をすばやく把握することが可能となり、その後の迅速な対応が可能となる。また、測定対象の被検者や測定時の状況によってレベルの段階数及び刻みを変更することができるので、個人差や状況に応じたレベル分けで表示を行うことが可能となる。
【００５８】
＜第２の実施形態＞
以下、本発明の第２の実施形態について説明する。
上記第１の実施形態においては、ＳｐＯ２値をレベル表示する際の段階数及び刻みを手動により設定する場合について説明したが、第２の実施形態では、自動設定する場合について説明する。
【００５９】
（パルスオキシメーター１Ｂの構成）
図９に、第２の実施形態におけるパルスオキシメーター１Ｂの機能構成例を示す。図９に示すように、パルスオキシメーター１Ｂは、図１に示すパルスオキシメーター１Ａに個人認識センサー１７を備えた構成である。
【００６０】
個人認識センサー１７は、例えば、指紋センサー等により構成され、被検者の指紋を読み取って被検者の個人を特定する。なお、個人認識センサー１７の代わりに、バーコードリーダー等を設け、被検者の患者ＩＤを示すバーコードを読み取ることにより被検者の個人を特定することとしてもよい。
【００６１】
また、第２の実施形態において、記憶部１３のメモリー領域には、患者情報及び状況情報（ここでは、時間帯及び初期ＳｐＯ２値）に対応付けて、ＳｐＯ２値（０％〜１００％）をレベル分けする際の段階数及び刻みがメモリー値として記憶されている。個人ごとに、また、同じ個人でもそのときの状況（時間帯やそのときの状態）によって、測定開始直後の初期ＳｐＯ２値及び苦しいと感じるＳｐＯ２値も異なるためである。
なお、患者情報、時間帯及び初期ＳｐＯ２値に対応付けて、段階数及び刻みの値を直接記憶しておいてもよいが、図１０に示すように、その段階数及び刻みに基づいてＳｐＯ２値の０％〜１００％をそれぞれレベル０〜ｎ（ｎは段階数−１）に割り当てたものを記憶しておくこととしてもよい。また、各レベルにおいて実施すべき対応（例えば、医師に連絡、家族に連絡、座る、立ち止まる・深呼吸、異常なし等）の入力を段階数及び刻みの入力とともに受け付けて併せて記憶しておくこととしてもよい。
【００６２】
その他のパルスオキシメーター１Ｂの各部の構成は、第１の実施形態で説明したものと同様であるので説明を援用する。
【００６３】
（パルスオキシメーター１Ｂの動作）
次に、パルスオキシメーター１Ｂの動作について説明する。
図１１に、パルスオキシメーター１Ｂにおいて電源がＯＮとなった際に実行される測定処理Ｂのフローチャートを示す。測定処理Ｂは、制御部１１と記憶部１３に記憶されているプログラムとの協働により実行される。
【００６４】
まず、制御部１１は、個人認識センサー１７により被検者の指紋を読み取って被検者の個人を特定する（ステップＳ１１）。
次いで、制御部１１は、時計１６により現在時刻を取得する（ステップＳ１２）。
次いで、制御部１１は、測定部１４により初期ＳｐＯ２値を取得する（ステップＳ１３）。
【００６５】
次いで、制御部１１は、特定した被検者の患者情報、現在時刻、初期ＳｐＯ２値に応じたメモリー値を記憶部１３のメモリー領域から読み出して設定領域に設定する（ステップＳ１４）。
【００６６】
次いで、制御部１１は、測定部１４によりＳｐＯ２値を測定し（ステップＳ１５）、測定により得られたＳｐＯ２値を記憶部１３の設定領域に記憶されている設定値に基づいてレベルに変換する（ステップＳ１６）。そして、変換されたレベルを表示部１５に表示させる（ステップＳ１７）。
なお、ステップＳ１７におけるレベルの表示例は図６〜図８に示したものと同様であるので説明を援用する。
【００６７】
制御部１１は、電源がＯＦＦされるまでステップＳ１５〜Ｓ１７の処理を繰り返し実行する。
【００６８】
このように、第２の実施形態においては、被検者に応じた段階数及び刻みを自動的に設定してレベル表示を行うので、被検者に応じた設定を手動で行う手間を省くことができる。
【００６９】
なお、上記実施形態においては、患者情報、時間帯及び初期ＳｐＯ２値に対応付けて、ＳｐＯ２値をレベル分けする際の最適な段階数及び刻みをメモリー領域に予め記憶しておき、測定開始時に取得した被検者の患者情報、現在時刻及び初期ＳｐＯ２値に基づいてＳｐＯ２値をレベル分けする際の段階数及び刻みを自動設定することとしたが、自動設定の手法としてはこれに限定されない。例えば、患者情報、時間帯、初期ＳｐＯ２値の少なくとも一つに対応付けて、ＳｐＯ２値をレベル分けする際の段階数及び刻みをメモリー領域に予め記憶しておき、測定開始時に被検者の患者情報、現在時刻、初期ＳｐＯ２値のうちひとつ又は複数を取得して、取得した情報に基づいて、ＳｐＯ２値をレベル分けする際の段階数及び刻みを自動設定することとしてもよい。
【００７０】
また、上記実施形態においては、使用する段階数及び刻みを自動設定する場合について説明したが、自動設定と手動設定をユーザーが切替可能な構成としてもよい。例えば、操作部１２に切替ボタンを設け、図１１の測定処理Ｂの実行中に切替ボタンが押下された場合、制御部１１は、図３のステップＳ２以降の処理を実行することとしてもよい。
【００７１】
＜第３の実施形態＞
以下、本発明の第３の実施形態について説明する。第３の実施形態においては、パルスオキシメーターにより測定されたＳｐＯ２値と予め設定された基準値との相対値を算出し、算出した相対値を予め設定された段階数及び刻みのレベルに変換して表示する場合について説明する。
【００７２】
第３の実施形態におけるパルスオキシメーターの構成は、第１の実施形態で説明したパルスオキシメーター１Ａ（図１参照）と略同様であるので異なる点について説明する。
【００７３】
第３の実施形態において、記憶部１３には、ＳｐＯ２値の基準値、ＳｐＯ２値の相対値（基準値との差）をレベル分けする際の段階数及び刻みのデフォルト値が記憶されている。
記憶部１３に記憶されるデフォルト値は一つであっても複数であってもよい。また、デフォルト値として、基準値、段階数及び刻みの値を直接記憶しておいてもよいが、基準値、段階数及び刻みに基づいてＳｐＯ２値の相対値をレベル０〜ｎ（ｎは段階数−１）に割り当てたものを記憶しておくこととしてもよい。
【００７４】
また、記憶部１３には、操作部１２により入力された基準値、段階数及び刻みの値（メモリー値と呼ぶ）を記憶するためのメモリー領域が設けられている。メモリー領域には、複数のメモリー値を記憶しておくことができる。
さらに、記憶部１３には、基準値、段階数及び刻みの設定値を記憶するための設定領域が設けられている。設定値は、実際にＳｐＯ２値の相対値をレベルに変換する際に使用される基準値、段階数及び刻みである。なお、設定領域には、工場出荷時にはデフォルト値が設定されている。
【００７５】
その他の第３の実施形態の構成は、第１の実施形態で説明したものと同様であるので説明を援用し、第３の実施形態の動作について説明する。
【００７６】
図１２に、パルスオキシメーター１Ａにおいて電源がＯＮとなった際に実行される測定処理Ｃのフローチャートを示す。測定処理Ｃは、制御部１１と記憶部１３に記憶されているプログラムとの協働により実行される。測定処理Ｃを実行することにより、制御部１１は、算出手段、変換手段、第２の変換手段、制御手段として機能する。
【００７７】
まず、制御部１１は、操作部１２により設定モードへの移行指示が入力されたか否かを判断する（ステップＳ３１）。
操作部１２により設定モードへの移行指示が入力されていないと判断した場合（ステップＳ３１；ＮＯ）、制御部１１は、ステップＳ３３に移行する。
操作部１２により設定モードへの移行指示が入力されたと判断した場合（ステップＳ３１；ＹＥＳ）、制御部１１は、設定処理Ｂを実行する（ステップＳ３２）。
【００７８】
図１３に、ステップＳ３２において実行される設定処理Ｂのフローチャートを示す。設定処理Ｂは、制御部１１と記憶部１３に記憶されているプログラムとの協働により実行される。
【００７９】
まず、制御部１１は、ＳｐＯ２値の相対値を算出する際の基準値を自動取得するか否かを問い合わせるメッセージを表示部１５に表示して、操作部１２により基準値を自動取得する指示が入力されたか否かを判断する（ステップＳ３０１）。
基準値を自動取得する指示が入力されていないと判断した場合（ステップＳ３０１；ＮＯ）、制御部１１は、ステップＳ３０３に移行する。
【００８０】
基準値を自動取得する指示が入力されたと判断した場合（ステップＳ３０１；ＹＥＳ）、制御部１１は、測定部１４にＳｐＯ２値の測定を行わせ、測定結果に基づいて基準値を取得する（ステップＳ３０２）。例えば、測定部１４にＳｐＯ２値の測定を行わせ、ＳｐＯ２値が安定したところでそのＳｐＯ２値を基準値として取得する。基準値の取得後、制御部１１は、ステップＳ３０３に移行する。
【００８１】
ステップＳ３０３において、制御部１１は、表示部１５にメニュー画面を表示する（ステップＳ３０３）。メニュー画面には、「デフォルト値を選択」、「メモリー値を選択」、「新規入力」のメニューが表示されており、操作部１２によりいずれかを選択することができる。
【００８２】
操作部１２により「デフォルト値を選択」が選択された場合（ステップＳ３０４；ＹＥＳ）、制御部１１は、デフォルト値に対応付ける患者情報や状況（例えば、時間帯、動作状況、疾患等）を入力するか否かを問い合わせるメッセージを表示部１５に表示して、操作部１２により患者情報や状況を入力することが選択されたか否かを判断する（ステップＳ３０５）。
操作部１２により患者情報や状況を入力することが選択されていないと判断した場合（ステップＳ３０５；ＮＯ）、制御部１１は、基準値、段階数及び刻みのデフォルト値を記憶部１３の設定領域に記憶させ（ステップＳ３０８）、図１２のステップＳ３３に移行する。
なお、デフォルト値が記憶部１３に複数記憶されている場合、制御部１１は、表示部１５にデフォルト値一覧を表示させ、操作部１２により選択されたデフォルト値を記憶部１３の設定領域に記憶させる。また、ステップＳ３０２で基準値を自動取得した場合、制御部１１は、基準値として自動取得したものを設定する。
【００８３】
操作部１２により患者情報や状況を入力することが選択されたと判断した場合（ステップＳ３０５；ＹＥＳ）、制御部１１は、デフォルト値に対応付ける患者情報や状況を入力するための入力画面を表示部１５に表示させ、操作部１２による患者情報や状況の入力を受け付ける（ステップＳ３０６）。ここで、入力する患者情報としては、患者ＩＤや氏名に限らず、「在宅酸素療法患者」等の患者の種別や年齢、性別等であってもよい。また、状況としては、例えば、上述のように、時間帯、動作状況（例えば、安静時、歩行中、運動中、入浴中、排便中等）、疾患（例えば、心不全、呼吸不全、ＣＯＰＤ等）等が挙げられる。患者情報と状況はいずれか一方を入力してもよいし、両方を入力してもよい。
【００８４】
次いで、制御部１１は、基準値、段階数及び刻みのデフォルト値を入力された患者情報や状況に対応付けてメモリー値として記憶部１３のメモリー領域に記憶させる（ステップＳ３０７）。ステップＳ３０２で基準値を自動取得した場合、制御部１１は、基準値として自動取得したものを記憶させる。そして、制御部１１は、選択されたデフォルト値を記憶部１３の設定領域に記憶させ（ステップＳ３０８）、図１２のステップＳ３３に移行する。
【００８５】
なお、デフォルト値が記憶部１３に複数記憶されている場合、制御部１１は、表示部１５にデフォルト値一覧を表示させ、操作部１２により選択されたデフォルト値を入力された患者情報や状況に対応付けてメモリー領域に記憶させる。また、選択されたデフォルト値を記憶部１３の設定領域に記憶させる。
【００８６】
一方、メニュー画面において、操作部１２により「メモリー値を選択」が選択された場合（ステップＳ３０４；ＮＯ、ステップＳ３０９；ＹＥＳ）、制御部１１は、記憶部１３のメモリー領域に記憶されているメモリー値の一覧を表示部１５に表示させる（ステップＳ３１０）。操作部１２によりメモリー値の一覧の中からメモリー値が選択されると（ステップＳ３１１）、制御部１１は、選択されたメモリー値を記憶部１３の設定領域に記憶させ（ステップＳ３１２）、図１２のステップＳ３３に移行する。
【００８７】
一方、メニュー画面において、操作部１２により「新規入力」が選択された場合（ステップＳ３０４；ＮＯ、ステップＳ３０９；ＮＯ、ステップＳ３１３；ＹＥＳ）、制御部１１は、ＳｐＯ２値の相対値をレベルに変換する際の基準値、段階数及び刻みを入力するための入力画面を表示部１５に表示させ、操作部１２による基準値、段階数及び刻みの入力を受け付ける（ステップＳ３１４）。なお、ステップＳ３０２で基準値を自動取得した場合には、入力画面の基準値の入力欄には、自動取得した基準値が予め入力されている。
【００８８】
次いで、制御部１１は、入力された基準値、段階数及び刻みを登録するか否かを問い合わせるメッセージを表示部１５に表示して、操作部１２により登録することが指示されたか否かを判断する（ステップＳ３１５）。
操作部１２により登録しないことが指示されたと判断した場合（ステップＳ３１５；ＮＯ）、制御部１１は、入力された基準値、段階数及び刻みの値を記憶部１３の設定領域に記憶させ（ステップＳ３２０）、図１２のステップＳ３３に移行する。
【００８９】
操作部１２により登録することが指示されたと判断した場合（ステップＳ３１５；ＹＥＳ）、制御部１１は、入力された基準値、段階数及び刻みに対応付ける患者情報や状況（例えば、時間帯、動作状況、疾患等）を入力するか否かを問い合わせるメッセージを表示部１５に表示して、操作部１２により患者情報や状況を入力することが指示されたか否かを判断する（ステップＳ３１６）。
操作部１２により患者情報や状況を入力することが指示されていないと判断した場合（ステップＳ３１６；ＮＯ）、制御部１１は、入力された基準値、段階数及び刻みをメモリー値として記憶部１３のメモリー領域に記憶させる（ステップ３１７）。そして、制御部１１は、入力された基準値、段階数及び刻みの値を記憶部１３の設定領域に記憶させ（ステップＳ３２０）、図１２のステップＳ３３に移行する。
【００９０】
操作部１２により患者情報や状況を入力することが指示されたと判断した場合（ステップＳ３１６；ＹＥＳ）、制御部１１は、入力された基準値、段階数及び刻みの値に対応付ける患者情報や状況を入力するための入力画面を表示部１５に表示させ、操作部１２による患者情報や状況の入力を受け付ける（ステップＳ３１８）。次いで、制御部１１は、基準値、段階数及び刻みの値を入力された患者情報や状況に対応付けてメモリー値として記憶部１３のメモリー領域に記憶させる（ステップＳ３１９）。入力する患者情報としては、患者のＩＤや氏名に限らず、「在宅酸素療法患者」等の患者の種別や年齢、性別等であってもよい。また、状況としては、例えば、上述のように、時間帯、動作状況（例えば、安静時、歩行中、運動中、入浴中、排便中等）、疾患（例えば、心不全、呼吸不全、ＣＯＰＤ等）等が挙げられる。患者情報と状況はいずれか一方を入力してもよいし、両方を入力してもよい。
【００９１】
そして、制御部１１は、入力された基準値、段階数及び刻みを記憶部１３の設定領域に記憶させ（ステップＳ３２０）、図１２のステップＳ３３に移行する。
【００９２】
このように、患者情報や状況情報に対応付けて段階数及び刻みをメモリー領域に記憶しておくことで、被検者の個人差や状況に応じて段階数及び刻みを変更してＳｐＯ２値の相対値をレベルに変換することが可能となる。
【００９３】
図１２のステップＳ３３において、制御部１１は、測定部１４によりＳｐＯ２値を測定し（ステップＳ３３）、記憶部１３の設定領域に記憶されている基準値と測定により得られたＳｐＯ２値との差分値（測定値−基準値）をＳｐＯ２値の相対値として算出する（ステップＳ３４）。
【００９４】
そして、制御部１１は、算出したＳｐＯ２値の相対値を記憶部１３の設定領域に記憶されている設定値に基づいてレベルに変換し（ステップＳ３５）、変換されたレベルを表示部１５に表示させる（ステップＳ３６）。
【００９５】
制御部１１は、電源がＯＦＦされるまでステップＳ３３〜ステップＳ３６の処理を繰り返し実行する。
【００９６】
図１４に、ステップＳ３６におけるレベルの表示例を示す。図１４においては、基準値が９５％、ＳｐＯ２値（測定値）が９１％、ＳｐＯ２値の相対値が−４％、レベル４段階、一律５％刻みの場合のレベル表示例を示す。
ここで、最高レベル（ここでは、レベル３）は、相対値の符号が＋である場合に割り当てられ、その次のレベルから、設定された刻みで符号が−の相対値が割り当てられる。刻みは、段階数との調整をとるため最低レベル（レベル０）では適用されない。
【００９７】
図１３に示すように、表示部１５には、例えば、左からレベル０、レベル１、レベル２、レベル３の各レベルに対応する表示欄が設けられ、レベル０からＳｐＯ２値の相対値に対応するレベルまでの表示欄が点灯（または色で表示）される。上記の場合、相対値が−４％であるからレベルは２であり、レベル２までの表示欄が点灯（または色で表示）される。
【００９８】
このように、測定部１４の測定結果であるＳｐＯ２値の基準値からの相対値を被検者の状態を把握しやすいレベルに変換して表示するので、例えば、平常時（安定した状態）からＳｐＯ２値が何％か低下すると苦しくなる被検者の場合、この相対値のレベル表示によって被検者の状態をすばやく把握することが可能となり、その後の迅速な対応が可能となる。
【００９９】
なお、図１５に示すように、ＳｐＯ２値の測定値（絶対値という）のレベル表示と相対値のレベル表示を切り替えるための切替手段としての切替ボタンＢ１をレベル表示と併せて表示し、操作部１２による操作に応じて絶対値のレベル表示と相対値のレベル表示を切り替えることとしてもよい。例えば、相対値のレベル表示が表示部１５に表示されているときに切替ボタンＢ１が押下された場合、制御部１１は、ＳｐＯ２値の測定値（絶対値）を設定された段階数及び刻みに基づいてレベルに変換し、変換したレベルに基づいてレベル表示を行う。また、絶対値のレベル表示なのか相対値のレベル表示なのかをユーザーが識別するための表示１５１をレベル表示に併せて表示することが好ましい。
【０１００】
第３の実施形態においては、手動で設定を行う場合を例にとり説明したが、第２の実施形態で説明したパルスオキシメーター１Ｂのように、パルスオキシメーター１Ａの構成に加えて個人認識センサー１７を有する構成とし、自動で設定を行うこととしてもよい。すなわち、制御部１１は、図１１のステップＳ１１〜ステップＳ１４と同様の処理により被検者の個人を特定し、時刻情報を取得し、初期ＳｐＯ２値を取得して、特定した個人の患者情報及び取得した情報に対応する基準値、段階数及び刻みをメモリー領域から読み出して設定領域に設定してもよい。そして、図１２のステップＳ３３以降の処理を実行することで、ＳｐＯ２値の相対値のレベル表示を行うこととしてもよい。レベル表示時には、図１５に示すように切替ボタンＢ１を併せて表示し、制御部１１は、操作部１２による操作に応じて絶対値表示と相対値表示を切り替えることが好ましい。また、レベル表示と併せて絶対値のレベル表示なのか相対値のレベル表示なのかをユーザーが識別するための表示１５１をレベル表示に併せて表示することが好ましい。
【０１０１】
＜第４の実施形態＞
以下、本発明の第４の実施形態について説明する。
パルスオキシメーターでは、ＳｐＯ２値及び脈拍を測定可能であるが、ＳｐＯ２値、脈拍とも、個人の基準値から離れるほどリスクが高くなる。そこで、第４の実施形態においては、パルスオキシメーターにより測定されたＳｐＯ２値と脈拍のそれぞれについて、予め設定された基準値との相対値を算出し、算出した相対値を予め設定された段階数及び刻みのレベルに変換し、ＳｐＯ２値のレベルと脈拍のレベルを掛け合わせてリスクレベルとして表示する場合について説明する。
【０１０２】
第４の実施形態におけるパルスオキシメーターの構成は、第３の実施形態で説明したパルスオキシメーター１Ａと同様であるので説明を援用する。ただし、記憶部１３において記憶されているデフォルト値、メモリー領域に記憶されているメモリー値、設定領域に記憶されている設定値には、ＳｐＯ２値の基準値、段階数及び刻みの他、脈拍数の基準値、段階数及び刻みが記憶されている。
【０１０３】
その他の第４の実施形態の構成は、第３の実施形態で説明したものと同様であるので説明を援用し、以下、第４の実施形態の動作について説明する。
【０１０４】
図１６に、パルスオキシメーター１Ａにおいて電源がＯＮとなった際に実行される測定処理Ｄのフローチャートを示す。測定処理Ｄは、制御部１１と記憶部１３に記憶されているプログラムとの協働により実行される。測定処理Ｄを実行することにより、制御部１１は、相対値算出手段、変換手段、リスクレベル算出手段、制御手段として機能する。
【０１０５】
まず、制御部１１は、操作部１２により設定モードへの移行指示が入力されたか否かを判断する（ステップＳ４１）。
操作部１２により設定モードへの移行指示が入力されていないと判断した場合（ステップＳ４１；ＮＯ）、制御部１１は、ステップＳ４３に移行する。
操作部１２により設定モードへの移行指示が入力されたと判断した場合（ステップＳ４１；ＹＥＳ）、制御部１１は、設定処理Ｂを実行し（ステップＳ４２）、ステップＳ４３に移行する。
【０１０６】
設定処理Ｂは、第３の実施形態で図１３に示したものと同様である。ただし、ステップＳ３０２において基準値を自動取得する場合には、ＳｐＯ２値及び脈拍数の双方の基準値を取得する。また、ステップＳ３１４においては、ＳｐＯ２値及び脈拍のそれぞれの基準値、段階数及び刻みの入力を受け付け、ステップＳ３１７及びステップＳ３１９においては、ＳｐＯ２値及び脈拍のそれぞれの基準値、段階数及び刻みをメモリー領域に記憶させる。さらに、ステップＳ３０８、ステップＳ３１２、ステップＳ３２０においては、ＳｐＯ２値及び脈拍のそれぞれの基準値、段階数及び刻みを設定値として設定領域に記憶させる。
【０１０７】
次いで、制御部１１は、測定部１４によりＳｐＯ２値を測定し（ステップＳ４３）、記憶部１３の設定領域に記憶されているＳｐＯ２値の基準値と測定により得られたＳｐＯ２値との差分値（測定値−基準値）をＳｐＯ２値の相対値として算出する（ステップＳ４４）。
【０１０８】
次いで、制御部１１は、算出したＳｐＯ２値の相対値を記憶部１３の設定領域に記憶されている段階数及び刻みに基づいてレベルに変換する（ステップＳ４５）。ここで、本実施形態では、レベルが低いほどリスクが低く、レベルが高いほどリスクが高いことを表す。
ＳｐＯ２値は、体の状態が悪くなる（リスクが高くなる）と測定値が基準値より低くなるため、相対値が＋の場合は最も低いレベルとし、相対値が−である場合に、段階数及び刻みに応じたレベルが設定される。基準値に近いほどレベルは低くなる。
例えば、基準値が９５％、段階数３、刻み一律５％、測定値８８％の場合、ＳｐＯ２値の相対レベルは２となる（相対レベル１が最も低いレベルとした場合）。
【０１０９】
次いで、制御部１１は、測定部１４により脈拍を測定し（ステップＳ４６）、記憶部１３の設定領域に記憶されている脈拍数の基準値と測定により得られた脈拍数との差分値（測定値−基準値）を脈拍数の相対値として算出する（ステップＳ４７）。
【０１１０】
次いで、制御部１１は、算出した脈拍数の相対値を記憶部１３の設定領域に記憶されている段階数及び刻みに基づいてレベルに変換する（ステップＳ４８）。
脈拍数は、体の状態が悪くなる（リスクが高くなる）と測定値が基準値より増加又は減少するので、基準値の＋側と−側の両側において、段階数及び刻みに応じたレベルが設定される。基準値に近いほどレベルは低くなる。
例えば、基準値が６０ｂｐｍ、段階数３、刻み一律２０ｂｐｍ、測定値９０ｂｐｍの場合、ＳｐＯ２値の相対レベルは２となる（相対レベル１が最も低いとした場合）。
【０１１１】
次いで、制御部１１は、算出したＳｐＯ２値のレベルと脈拍数のレベルを乗算してリスクレベルを算出する（ステップＳ４９）。
例えば、ＳｐＯ２値のレベルが２、脈拍数のレベルが２であった場合、２×２＝４となり、リスクレベルは４となる。
なお、ＳｐＯ２値のレベルと脈拍数のレベルのそれぞれに重み係数を掛けてから、結果を乗算してリスクレベルを算出することとしてもよい。例えば、ＳｐＯ２値の重み係数を２、脈拍数の重み係数を１とすると、リスクレベルは、（２×２）＋（２×１）＝６となる。
【０１１２】
そして、制御部１１は、算出されたリスクレベルを表示部１５に表示させる（ステップＳ５０）。
【０１１３】
制御部１１は、電源がＯＦＦされるまでステップＳ４３〜ステップＳ５０の処理を繰り返し実行する。
【０１１４】
図１７に、ステップＳ５０におけるリスクレベルの表示例を示す。図１７においては、全体が１０段階、リスクレベルが６の表示例を示している。図１７（ａ）においては、表示部１５には、例えば、左からレベル１、レベル２、・・レベル１０の各リスクレベルに対応する表示欄が設けられ、レベル１から算出されたリスクレベルまでの表示欄が点灯（または色で表示）されている。図１７（ｂ）に示すように、リスクレベルの段階数分の表示欄を消灯させることとしてもよい。また、図１７（ｃ）に示すように、ＳｐＯ２値のレベル、脈拍数のレベル及びリスクレベルを全て表示することとしてもよい。
【０１１５】
測定部１４により測定されるＳｐＯ２値及び脈拍数は、絶対値的には個々に独立した数値である。しかし、ＳｐＯ２値、脈拍とも、個人の基準値から離れるほどリスクが高くなる。そこで、ＳｐＯ２値の相対レベルと脈拍数の相対レベルを掛け合わせた値をリスクレベルとして表示することで、被検者や医師等が被検者の状態の変化をすばやく把握することが可能となり、その後の迅速な対応が可能となる。
【０１１６】
第４の実施形態においては、手動で設定を行う場合を例にとり説明したが、第２の実施形態で説明したパルスオキシメーター１Ｂのように、個人認識センサー１７を有する構成とし、自動で設定を行うこととしてもよい。すなわち、制御部１１は、図１１のステップＳ１１〜ステップＳ１４の処理により被検者の個人を特定し、時刻情報を取得し、初期ＳｐＯ２値を取得して、特定した個人の患者情報及び取得した情報に対応する基準値、段階数及び刻みをメモリー領域から読み出して設定領域に設定してもよい。そして、図１６のステップＳ４３以降の処理を実行することで、リスクレベルの算出及び表示を行うこととしてもよい。
【０１１７】
＜第５の実施形態＞
以下、本発明の第５の実施形態について説明する。
第５の実施形態では、第４の実施形態で算出されたリスクレベルを対応するボルグスケールの指標レベルで表示する場合について説明する。
【０１１８】
第５の実施形態におけるパルスオキシメーターの構成は、第４の実施形態で説明したパルスオキシメーター１Ａと同様であるので説明を援用する。ただし、記憶部１３には、さらに、患者情報に対応付けて、第４の実施形態で説明したリスクレベルの各レベルとボルグスケールの各指標レベルとの対応表であるテーブル１３１が記憶されている。図１８に、テーブル１３１の一例を示す。テーブル１３１は、患者ごとに予め負荷試験等を行って、各リスクレベルの状態のときの患者の主観的運動強度（息苦しさ）を求めて作成したものである。
【０１１９】
その他の第５の実施形態の構成は、第４の実施形態で説明したものと同様であるので説明を援用し、以下、第５の実施形態の動作について説明する。
【０１２０】
図１９に、パルスオキシメーター１Ａにおいて電源がＯＮとなった際に実行される測定処理Ｅのフローチャートを示す。測定処理Ｅは、制御部１１と記憶部１３に記憶されているプログラムとの協働により実行される。測定処理Ｅを実行することにより、制御部１１は、相対値算出手段、変換手段、リスクレベル算出手段、制御手段として機能する。
【０１２１】
まず、制御部１１は、ステップＳ５１〜ステップＳ５９の処理を実行する。ステップＳ５１〜Ｓ５９の処理は、図１６のステップＳ４１〜Ｓ４９の処理と同様であるので説明を援用する。
【０１２２】
次いで、制御部１１は、記憶部１３に記憶されているテーブル１３１を参照し、算出したリスクレベルを対応するボルグスケールの指標レベルに変換する（ステップＳ６０）。そして、制御部１１は、リスクレベルに応じたボルグスケールの指標レベルを表示部１５に表示させる（ステップＳ６１）。
【０１２３】
制御部１１は、電源がＯＦＦされるまでステップＳ５３〜ステップＳ６１の処理を繰り返し実行する。
【０１２４】
このように、第５の実施形態では、測定部１４により測定されたＳｐＯ２値及び脈拍数に基づいてリスクレベルを算出し、算出したリスクレベルをボルグスケールの指標レベルで表示部１５に表示する。従って、被検者が息苦しいと感じる危険な状態であるか否かをすばやく把握することが可能となり、その後の迅速な対応が可能となる。
【０１２５】
以上、本発明の第１〜第５の実施形態について説明したが、上記実施形態における記述内容は、本発明の好適な一例であり、これに限定されるものではない。
【０１２６】
例えば、制御部１１は、被検者の患者情報が入力（特定）された際又は新規に患者情報に対応付けてメモリー値を登録する際に、記憶部１３のメモリー領域に同一の患者情報に対応付けられた複数のメモリー値が記憶されているか否かを判断し、記憶されていると判断した場合、その患者情報に対応する複数のメモリー値のデータを統合するか否かをユーザーに問い合わせる画面を表示し、操作部１２により統合する指示が入力された場合に、データを統合する（一つの患者情報に、複数の状況毎の複数の段階数及び刻みを対応付けて記憶部１３のメモリー領域に記憶する）こととしてもよい。また、新規にメモリー値を登録する際に、記憶部１３のメモリー領域に同一の患者情報に対応付けられたメモリー値がすでに記憶されている場合、制御部１１は、その被検者の患者情報についてのデータを統合するか否かをユーザーに問い合わせる画面を表示し、操作部１２により統合する指示が入力された場合に、新規のメモリー値と既存のメモリー値のデータを統合する（一つの患者情報に、複数の状況毎の複数の段階数及び刻みを対応付けて記憶部１３のメモリー領域に記憶する）こととしてもよい。統合は、自動的に同じ患者情報に対応付けられているメモリー値の全てを自動的に統合してもよいし、同じ患者情報に対応付けられているメモリー値の一覧を表示部１５に表示し、操作部１２の操作に応じて手動で統合することとしてもよい。
【０１２７】
また、パルスオキシメーターの細部構成及び細部動作に関しても、本発明の趣旨を逸脱することのない範囲で適宜変更可能である。
【符号の説明】
【０１２８】
１Ａ  パルスオキシメーター
１Ｂ  パルスオキシメーター
１１  制御部
１２  操作部
１３  記憶部
１４  測定部
１５  表示部
１６  時計
１７  個人認識センサー
【図１】
2018102638.tif 000003
【図２】
2018102638.tif 000004
【図３】
2018102638.tif 000005
【図４】
2018102638.tif 000006
【図５】
2018102638.tif 000007
【図６】
2018102638.tif 000008
【図７】
2018102638.tif 000009
【図８】
2018102638.tif 000010
【図９】
2018102638.tif 000011
【図１０】
2018102638.tif 000012
【図１１】
2018102638.tif 000013
【図１２】
2018102638.tif 000014
【図１３】
2018102638.tif 000015
【図１４】
2018102638.tif 000016
【図１５】
2018102638.tif 000017
【図１６】
2018102638.tif 000018
【図１７】
2018102638.tif 000019
【図１８】
2018102638.tif 000020
【図１９】
2018102638.tif 000021